(57)【要約】  【課題】使用者にとって作業がし易く、且つ効率的に製造することができる印刷用紙束を提供する。  【解決手段】本実施形態に係る印刷用紙束Ａは、例えば片方の面を薬剤の使用説明を印刷した印刷面１１としたそれぞれ同形状をなす複数の印刷用紙１０を有する印刷用紙部１と、印刷用紙部１を傾斜方向に積層することにより形成される傾斜端面２の一部を印刷用紙１０毎に剥離可能に止着した傾斜止着部Ｘとを有するものである。【選択図】図１
0003139870.tif 000002
【実用新案登録請求の範囲】
【請求項１】
少なくとも片側の面を印刷面とし、それぞれ同形状をなす複数の印刷用紙を有する印刷用紙部と、
前記印刷用紙部を傾斜方向に積層することにより形成される傾斜端面の一部を前記印刷用紙毎に剥離可能に止着した傾斜止着部とを具備することを特徴とする印刷用紙束。
【請求項２】
前記傾斜止着部を、所定面積を有する傾斜止着面としている請求項１記載の印刷用紙束。
【請求項３】
前記傾斜傾斜止着部の傾斜角度を前記印刷面から３０°〜８０°に設定している請求項１又は２記載の印刷用紙束。
【請求項４】
前記印刷用紙を矩形状のものとし、当該矩形の一片に前記傾斜止着面を形成している請求項１、２又は３記載の印刷用紙束。
【請求項５】
前記傾斜止着部を、上方へ面した上向端面を止着したものとしている請求項１、２、３又は４記載の印刷用紙束。
【請求項６】
前記印刷用紙部を、所定枚数の前記印刷用紙毎に当該印刷用紙とは識別し得る挿入紙をさらに介在させたものとしている請求項１、２、３、４又は５記載の印刷用紙束。
【請求項７】
前記印刷面を、薬剤の使用説明を印刷したものとしている請求項１、２、３、４、５又は６記載の印刷用紙束。
【請求項８】
前記印刷用紙を薬袋の形状に対応した寸法としている請求項７記載の印刷用紙束。
【考案の詳細な説明】
【技術分野】
【０００１】
本考案は、例えば説明書などの印刷された用紙を、複数積層させて止着した用紙束に関するものである。
【背景技術】
【０００２】
従来、例えば病院や薬局などでは、特定の薬などの使用説明を印刷した用紙を薬とともに一枚ずつ薬袋へ挿入するということが行なわれている。そして実際に薬袋に薬を挿入する作業現場においては、印刷用紙を挿入する作業を行ない易いように複数の印刷用紙が一枚毎に剥離可能に止着される天糊を形成することで束ねられた用紙束の状態で配置されている。そうすることにより、複数の印刷用紙が作業スペース内でばらけて散乱してしまうことを未然に回避するものとなっている。
【０００３】
勿論上述のような用紙束は、薬などの使用説明に限らず、種々の内容のものが印刷され、それらを一枚ずつ袋や容器に挿入するような現場において幅広く利用されている。
【０００４】
そして、このような用紙束のなかには、天糊加工を施してからさらに用紙束の端部を傾斜方向となるように裁断することにより、作業者が一枚ごとに用紙束から印刷用紙を剥離し易いようにしたものも周知である。このようなものであると作業者は、鋭角となった用紙束の端部から手指で印刷用紙を、一枚ずつ容易に剥離することができる。
【考案の開示】
【考案が解決しようとする課題】
【０００５】
しかしながら、上述のような従来の用紙束のように、端面を傾斜方向に面したものは、製造の際、印刷用紙を垂直に積層した状態で天糊加工により一端を剥離可能に止着する工程に加え、さらに所要の端部を傾斜方向に裁断するという工程を別途要するものとなっている。
【０００６】
そして傾斜方向に裁断することにより、用紙束における各印刷用紙の形状がそれぞれ異なるものとなってしまう。そのため、印刷用紙に印刷する範囲は用紙束において最も面積の少ない印刷用紙に対応した印刷範囲でしか予め印刷出来ないこととなる。
【０００７】
本考案は、このような課題に着目してなされたものであって、主たる目的は、使用者にとって作業がし易く、且つ効率的に製造することができる印刷用紙束を提供することにある。
【課題を解決するための手段】
【０００８】
すなわち、本考案の印刷用紙束は、少なくとも片側の面を印刷面とし、それぞれ同形状をなす複数の印刷用紙を有する印刷用紙部と、前記印刷用紙部を傾斜方向に積層することにより形成される傾斜端面の一部を前記印刷用紙毎に剥離可能に止着した傾斜止着部とを具備することを特徴とする。
【０００９】
このようなものであれば、傾斜端面を設けることにより作業者が一枚ずつ印刷用紙を剥離し易いものとしながらも、傾斜方向に裁断するという工程を有効に回避することができる。そして、同形状をなす印刷用紙を積層しているため、印刷用紙の印刷範囲を制限されるという不具合をも有効に排除することができる。さらに傾斜端面では印刷用紙部の端面のみならず表裏何れか一方の面が露出される状態となっており、このような傾斜端面が止着されることにより、従来のように垂直に積層した端面しか露出されないものに比べて多くの面積を止着できるので、より確実に印刷用紙を止着することができる。特に本考案によれば、この印刷用紙束を複数垂直に積み重ねた場合では、傾斜端面によって印刷用紙束毎に段差が形成されることとなるため、所定の数を区分することや、目測での計数が行ないやすいことや、印刷用紙束同士の密着回避ができるものとなる。
【００１０】
そして本考案では、傾斜止着部を、所定面積を有する傾斜止着面としているので、印刷用紙同士をより確実に止着することができる。
【００１１】
さらに、製造する際の効率と、作業者が印刷用紙を一枚ごとに剥離させる所謂「めくりやすさ」印刷用紙束を一束ごとに分離させる所謂「束取りしやすさ」を両立するための、傾斜傾斜止着部の好ましい傾斜角度としては印刷面から３０°〜８０°に設定すればよく、さらに好ましくは、４５°〜６０°と設定すればよい。
【００１２】
この印刷用紙束を製造する際に、印刷用紙を矩形状、すなわち長方形又は正方形のものとし、当該矩形の一片に傾斜止着面を形成しているものとすれば、予め印刷用紙を複数連ねた形状の用紙を準備しておき、傾斜止着面を形成する工程を経てから、所定形状に裁断するといった効率の良い製造方法を選択することが可能となる。
【００１３】
さらに、傾斜止着部を、上方へ面した上向端面を止着したものとすれば、その対向する側には下向端面を形成することが出来るので、作業者が一枚ずつ剥離し易いものとなる。
【００１４】
そして製造時或いは作業時に所定枚数毎に印刷用紙を分離したり、印刷用紙束の数を計測したりし易くするためには、印刷用紙部を、所定枚数の印刷用紙毎に当該印刷用紙とは識別し得る挿入紙をさらに介在させたものとすればよい。
【００１５】
ここで挿入紙とは、印刷用紙に対して識別し得るものが印刷用紙とともに止着されていればよい。それらの態様として、例えば製造時に規定の枚数毎に商品である印刷用紙束を区分するための表紙であったり、又は印刷用紙束の使用時に所定枚数毎に挿入されている態様のものであったり、または印刷用紙束の底側に位置付けられた台紙といったものを含む概念である。
【００１６】
そして、上述したような印刷用紙束は、印刷面を、薬剤の使用説明を印刷したものとして、例えば医療現場や薬局において使用するものとすることが望ましい。
【考案の効果】
【００１７】
以上説明したように本考案によれば、作業者にとっての作業性を確保しながら、製造工程において傾斜方向に裁断するという工程を有効に回避することができる。それ故に、印刷用紙の印刷範囲を制限されるという不具合をも有効に排除することができる。さらに従来のように垂直に積層した端面しか露出されないものに比べて多くの面積を止着できるので、より確実に印刷用紙を止着することができる。特に本考案によれば、この印刷用紙束を複数垂直に積み重ねた場合では、傾斜端面によって印刷用紙束毎に段差が形成されることとなるため、印刷用紙束の止着箇所すなわち傾斜止着部同士の密着回避、所定数の印刷用紙束の区分や、目測での印刷用紙束の計数が行ないやすいものとなる。
【考案を実施するための最良の形態】
【００１８】
以下、本考案の一実施形態を、図面を参照して説明する。
【００１９】
本実施形態に係る印刷用紙束Ａは、図１〜図３に示すように、例えば片方の面を薬剤の使用説明を印刷した印刷面１１とした印刷用紙１０を複数積層し、その一端辺を例えばホットメルト粘着剤といった粘着剤ａｄにより止着して、冊子状の束としたものである。そしてこの印刷用紙束Ａは、主に医療現場や薬局などのにおいて医薬等を扱う場所に配置され、所定の薬剤とともに薬袋Ｐに挿入することにより、薬を正しく飲用するよう喚起するためのものである。
【００２０】
ここで、本実施形態に係る印刷用紙束Ａは、それぞれ同形状をなす複数の印刷用紙１０を有する印刷用紙部１と、印刷用紙部１を傾斜方向に積層することにより形成される傾斜端面２の一部を一枚ずつ剥離可能に止着した傾斜止着部Ｘとを具備するものである。
【００２１】
以下に、この印刷用紙束Ａの具体的な構成について説明する。
【００２２】
印刷用紙束Ａは、図１〜図３及び図５に示すように、印刷用紙部１と、傾斜止着部Ｘとを有するものとしている。
【００２３】
印刷用紙部１は、同図に示すように、上述したような薬剤の使用説明を印刷した印刷面１１を有するそれぞれ全く同じ長方形である複数の印刷用紙１０と、この印刷用紙１０を例えば２０枚積層する毎に１枚ずつ挿入された挿入紙たる表紙１２とを有し、これらを傾斜方向に積層させたものである。そして本実施形態では印刷用紙１０の大きさを例えば医院等で使用される薬袋Ｐの形状に対応した寸法とすることにより、図１に示すように薬袋Ｐに挿入し易く且つ薬袋Ｐ内で過度に移動し難いものとなっている。また本実施形態では、この表紙１２を有色の無地紙を採用することにより、印刷用紙１０に対して容易に識別し得るようにしているが、例えば、無地の紙であったり、明らかに印刷用紙１０とは異なる文言または模様を印刷したものであったり、印刷用紙１０から過度にはみ出したようなものでない程度に明確に異なる形状を有するものであったり、種々の態様のものを採用することが可能である。
【００２４】
そして上述の通り、印刷用紙部１は複数の印刷用紙１０及び表紙１２を傾斜方向に積層させるために端面が傾斜した傾斜端面２が形成されることとなる。具体的には、この傾斜端面２は、印刷用紙１０の長方形における一片側に形成される上方に面した上向端面２０と、この上向端面２０に対向する一片側に形成される下方に面した下向端面２１とを有したものとなっている。そして製造する際の効率と、作業者が印刷用紙束Ａの区分作業や印刷用紙１０を一枚ごとに剥離させる所謂「めくりやすさ」を両立するため、この傾斜端面２が有する角度は、本実施形態では印刷面１１に対して例えば６０°に設定している。
【００２５】
傾斜止着部Ｘは、図１〜３及び図５に示すように、上述した上向端面２０のほぼ全面を、例えばホットメルト粘着剤といった粘着剤ａｄにより、所謂天糊加工を施して形成された傾斜止着面Ｘ１を主体とするものである。
【００２６】
そして本実施形態に係る印刷用紙束Ａは、図４に示すように、長方形の印刷用紙１０を採用することにより、予め印刷用紙１０並びに表紙１２を複数連ねた形状の用紙を準備しておき、天糊可能により傾斜止着面Ｘ１を形成する工程を経てから、所定形状に裁断するといった効率の良い製造方法を選択することが可能となる。
【００２７】
しかして本実施形態に係る印刷用紙束Ａは、図５及び図６に示すように、天糊を上述の通り傾斜させた傾斜止着面Ｘ１とすることにより、印刷用紙束Ａ同士を、例えば保管や運搬等のために複数直立に積層した状態としても、各傾斜止着面Ｘ１同士が接触しない構成となっているため、印刷用紙束Ａ同士が不意にくっついてしまうということがなく、所要の数だけ印刷用紙束Ａを好適に扱うことが出来るものとなっている。
【００２８】
以上のような構成とすることにより、本実施形態に係る印刷用紙束Ａは、傾斜止着部Ｘを有することにより、作業者が一枚ずつ印刷用紙１０を剥離し易いものとしながらも、製造工程においては傾斜方向に裁断するという工程を有効に回避することができたものとなっている。そして製造工程において多数の印刷用紙１０を積層させた場合においても、上述の通り傾斜方向に裁断する工程が無いため、多くの用紙を積層したものを好適に製造することが可能となる。
【００２９】
特に従来のような直立状の天糊であれば、紙の側端面にしか粘着剤ａｄを施せないところ、本実施形態の天糊である傾斜止着部Ｘに形成された傾斜止着面Ｘ１では、印刷用紙１０並びに表紙１２の側端面のみならず、印刷面１１の端部にまで施したものとなっているので、印刷用紙１０並びに表紙１２を不意にばらけさせること無く確実に止着したものとなっている。加えて本実施形態では、所定面積を有する傾斜止着面Ｘ１として長方形の一片から形成された上向端面２０のほぼ全面に天糊加工しているので、止着するために使用する粘着剤ａｄなどを、線状に施した場合や、傾斜していない面に施すよりも、より多く施用して確実に止着することができる。さらに特筆すべき点として、本実施形態に係る印刷用紙束Ａは、天糊を上述の通り傾斜させた傾斜止着面Ｘ１とすることにより、印刷用紙束Ａ同士を、複数垂直に積層した状態としても、各傾斜止着面Ｘ１同士が接触しないために印刷用紙束Ａ同士が不意にくっついてしまうということがなく、さらに傾斜端面２の箇所で段差を形成することができるので、積層されている印刷用紙束Ａの目測することや、所要の数だけ印刷用紙束Ａを区分することを好適に行い得るものとなっている。
【００３０】
勿論本実施形態では、傾斜止着部Ｘを、上方へ面した上向端面２０を止着したものとしているので、作業者は、その対向する側に形成された下向端面２１から印刷用紙１０を掴む際、一番上に積層された印刷用紙１０を下側に露出した裏面側からすくい上げて掴むといった動作が行ないやすくなっている。その結果、作業者が印刷用紙１０を一枚ずつ剥離し易いものとなっている。
【００３１】
そして本実施形態では、上述のような傾斜端面２によって形成された段差による印刷用紙束Ａ単位で区分することや、目測することが行ないやすくなっていることに加えて、印刷用紙１０を例えば２０枚毎に表紙１２を介在させているので、作業者が２０枚毎に印刷用紙１０を区分したり、印刷用紙束Ａが有する印刷用紙１０の枚数を目測などにより計測したりし易くなっている。
【００３２】
なお、本考案は、以上に詳述した実施形態に限られるものではない。
【００３３】
例えば、上記実施形態では長方形すなわち矩形状の印刷用紙を採用しているが、印刷用紙の形状はなんら限定されることはなく、種々の形状を採用することが可能である。また上記実施形態では主に薬剤の使用説明を印刷した印刷面を一例として挙げたが、本考案はこのような印刷面に限定されるものではなく、例えば他の種々の分野、種々の目的に係る説明文や模様を配した印刷面としてもよく、幅広い分野において広く用いられるものである。
【００３４】
その他、各部の具体的構成についても上記実施形態に限られるものではなく、本考案の趣旨を逸脱しない範囲で種々変形が可能である。
【図面の簡単な説明】
【００３５】
【図１】本考案の一実施形態に係る外観図。
【図２】同平面図。
【図３】同正面図。
【図４】同実施形態に係る作用説明図。
【図５】同実施形態の係る他の作用説明図。
【図６】同上。
【符号の説明】
【００３６】
１…印刷用紙部
１０…印刷用紙
１１…印刷面
１２…挿入紙（表紙）
２…傾斜端面
２０…上向端面
Ａ…印刷用紙束
Ｘ…傾斜止着端
Ｘ１…傾斜止着面
【図１】
0003139870.tif 000003
【図２】
0003139870.tif 000004
【図３】
0003139870.tif 000005
【図４】
0003139870.tif 000006
【図５】
0003139870.tif 000007
【図６】
0003139870.tif 000008